(57)【要約】【課題】本発明は、小さな力で確実な契合を可能とする継ぎ手の提供と、かかる継ぎ手を用いてブロックを相互に契合させることで地下に水槽用の空間を確保し、あるいは軽量盛土の芯とした地下施設の構築方法を提案するものである。【解決手段】オス継ぎ手の凸状部が、メス継ぎ手の開口部に契合し、弾性性能を有する材質で形成されたオス、メス継ぎ手において、オス継ぎ手の凸状部の周囲に襞部が設けられ、押す継ぎ手がメス継ぎ手と契合する際、前期襞部が契合部において弾性あるいは塑性変形を起こすことにより強固に契合することを特徴とする継ぎ手である。および、上記記載の継ぎ手を用い、ブロック間を契合することで地下に空間を形成して得られた地下施設である。【選択図】図１
2005002744.tif 000002
【特許請求の範囲】
【請求項１】
弾性変形機能を有し、オス継ぎ手の凸部が、メス継ぎ手の凹部に契合するオス、メス継ぎ手において、オス継ぎ手の凸部の周囲に襞部が設けられ、オス継ぎ手がメス継ぎ手と契合する際、前期襞部が契合部において弾性変形を起こすことにより契合を強化することを特徴とする継ぎ手。
【請求項２】
請求項１記載の継ぎ手を用い、ブロック間を契合することで地下に空間を形成して得られた地下施設。
【発明の詳細な説明】
【０００１】
【発明の属する技術分野】
本発明は、継ぎ手および継ぎ手を用いてブロック間を契合して得られた地下設備の製造技術に属する。
【０００２】
【従来の技術】
オス継ぎ手の凸状部をメス継ぎ手の凹部に挿入して契合する継ぎ手は、図８に示すように、オス継ぎ手の凸部外径とメス継ぎ手の凹部内径がほぼ同等となるように構成されている。  継ぎ手の材質が弾性体であるかあるいは塑性変形を生じるものである場合はオス継ぎ手の外径がわずかにメス継ぎ手の内径より大きくして確実に契合できるようにしている。しかし、この場合、オス継ぎ手の外周全体をあるいはメス継ぎ手の内周全体を変形させるため多大な力を要する。
【０００３】
【発明が解決しようとする課題】
本発明は、小さな力で確実な契合を可能とする継ぎ手の提供と、かかる継ぎ手を用いてブロックを相互に契合させることで地下に水槽用の空間を確保し、あるいは軽量盛土の芯とした地下施設の構築方法を提案するものである。
【０００４】
【課題を解決するための手段】
本第１の発明は、弾性変形性能を有し、オス継ぎ手の凸部が、メス継ぎ手の凹部に契合するオス、メス継ぎ手において、オス継ぎ手の凸部の周囲に襞部が設けられ、オス継ぎ手がメス継ぎ手と契合する際、前期襞部が契合部において弾性変形を起こすことにより契合を強化することを特徴とする継ぎ手であり、本第２の発明は、上記記載の継ぎ手を用い、ブロック間を契合することで地下に空間を形成して得られた地下施設である。
【０００５】
【発明の実施の形態】
以下本発明を図を用いて、より詳細に説明する。
図１は、本発明に関わるオス継ぎ手の外形を示している。
【０００６】
図１ａに示すように、本発明のオス継ぎ手の外周辺には縦方向に薄い襞が設けられている。
オス継ぎ手のメス継ぎ手との契合部にあたる凸部の外径はメス継ぎ手の内径と同じあるいは襞の変形による厚み増加を考慮し少し小さめであってもよい。
しかし、凸部の襞を含めての外径は凹部の内径以上でなければならない。
必要に応じてオス継ぎ手の先端部にテーパを設け、ガイドとすることが好ましい。本継ぎ手の主用途である地下の雨水貯留槽、浸透槽あるいは軽量盛土の芯の用途に対しては、オス継ぎ手の外寸は、１０〜２０ｍｍであり、襞の厚み、張り出し長さはそれぞれその先端で０．５〜２、１〜３ｍｍ程度が好ましい。張り出し長さはオス継ぎ手の付け根で先端部に対して１．２〜２．０倍程度となる。襞の厚み、張り出し長さは、オス継ぎ手の外寸、契合すべきブロックの大きさ、形状に合わせて変えることが好ましい。
また図１ｂに示すようにオス継ぎ手が縦方向に複数に櫛状に分割され、メス継ぎ手に挿入する際、櫛状に分割された間隙が狭まるようになっているものでもよい。
【０００７】
図２は、本発明の継ぎ手が互に契合した状態を示す概念図である。継ぎ手の材質の弾性限界内にある場合を示しており、継ぎ手の契合部において襞は押しつぶされ、直接契合していない部分は襞が当初の状態を保っている。
図で明らかなように、契合部では継ぎ手間で契合部での襞が弾性変形あるいは塑性変形したことにより強く契合する。弾性変形している場合は、弾性変形による反力が作用する。また、変形が一部塑性変形となる場合であってもなんらさしさわりがない。
また、結合部の下方においては襞部が元の状態に戻り襞部が立つため契合状態がより確実になる。
【０００８】
襞部は継ぎ手全体に較べ小さいため、契合状態に入るとき、襞部の変形を伴うがそれに要する力は小さくてすむ。
【０００９】
図１では継ぎ手の凸部の外形状が円となっているが、円に限定されるものではなく多角形など適宜変えることができる。また、オス継ぎ手の形状がガイド部を除き上下とも同形として表されているが、先端部から付け根に向かって大きくなるようにテーパを設けた形状であってもよい。
【００１０】
図３は、４個のブロックを上下方向あるいは左右方向に契合するための継ぎ手の一例を示している。
図４に示すように、図３の継ぎ手は、４個のブロック（例えば、図７ａ，ｂに示すようなブロックの上枠の４隅、あるいは図７ｃ，ｄに示すブロックの盤体部の四隅）をつき合わせ、上枠あるいは盤体部の隅に設けたメス継ぎ手と契合させる。
図３の継ぎ手は限らず、下方にのみ凸部を有するものあるいは、凸部が直線状に２つ並んだものは、ブロックを並べたときその周辺部に配置されるブロック用に用いるなど、必要に応じて使い分けることができる。
【００１１】
図５、図６は、図７に示すブロック類を上記継ぎ手で契合し、空間を構成し、地下に埋設あるいはその上部に土盛りした施設の概要を示している。
図５は、地下貯留槽であり、ブロックを上下左右に契合させ、その周囲を透水性あるいは遮水性のシートでおおい、ブロック部の空間を浸透槽、あるいは貯留槽とするものである。
【００１２】
図７は、軟弱地盤上にブロックを組み上げその周囲を透水性シートで覆い、その周囲に土盛りし、その上部を公園、道路等として利用するものを示している。
【００１３】
【発明の効果】
本発明は、上記説明の通り、オス継ぎ手の周囲に設けた襞による弾性あるいは塑性変形によって、契合部の契合強さを高めるとともに、契合部外の自由状体の襞部が継ぎ手の契合をはずすのを妨げるため、より確実な契合が得られる。
しかも、襞部が小さいため小さな力で契合できる。
上記継ぎ手を用いて契合組み立てされた地下施設は全体が一体となり、そのため施設にかかる力が全体に広がり、施設の強度が高まる。
【図面の簡単な説明】
【図１】は、継ぎ手のオス継ぎ手の形状の概念図である。
【図２】は、継ぎ手が契合した契合部の状体を示す概念図である。
【図３】は、継ぎ手の一例を示す概念図である。
【図４】は、継ぎ手の使用状態を示す概念図である。
【図５】は、地下貯留槽の概念図である。
【図６】は、軽量盛土の概念図である。
【図７】は、ブロックの概念図である。
【図８】は、従来の継ぎ手の概念図である。
【符号の説明】
１  継ぎ手
２  襞
【図１】
2005002744.tif 000003
【図２】
2005002744.tif 000004
【図３】
2005002744.tif 000005
【図４】
2005002744.tif 000006
【図５】
2005002744.tif 000007
【図６】
2005002744.tif 000008
【図７】
2005002744.tif 000009
【図８】
2005002744.tif 000010